(57)【特許請求の範囲】
【請求項１】
ハンドオーバー後に使用するためのトランシーバデバイス候補を報告し、及び
ハンドオーバーインストラクションを受け取る、
ことを含み、前記ハンドオーバーインストラクションは、ハンドオーバー後のセル間干渉キャンセル処理に使用するために情報を記憶すべきであるとの指示を少なくとも含む、ターミナル装置で実施される方法。
【請求項２】
ハンドオーバー後のセル間干渉キャンセル処理に使用するための情報を受け取ることを更に含み、前記受け取られる情報は、少なくともサービングネットワークトランシーバデバイスのコンフィギュレーションに関連したコンフィギュレーション情報である、請求項１に記載の方法。
【請求項３】
ハンドオーバー後のセル間干渉キャンセル処理に使用するための情報は、
−セルのセル特有参照信号ＣＲＳ、アンテナポート情報、
−セルのマルチメディアブロードキャスト単一周波数ネットワークＭＢＳＦＮ、コンフィギュレーション情報、及び
−セルの繰り返しプレフィックスＣＰ、
の少なくとも１つを含む、請求項１又は２に記載の方法。
【請求項４】
ハンドオーバー後のセル間干渉キャンセル処理に使用するため情報を記憶することを更に含む、請求項１に記載の方法。
【請求項５】
コントロールモジュール、メモリモジュール及びトランシーバモジュールを備え、前記コントロールモジュールは、
前記トランシーバモジュールを経てハンドオーバー後に使用するためのトランシーバデバイス候補を報告し、及び
前記トランシーバモジュールを経てハンドオーバーインストラクションを受け取る、
ように構成され、前記ハンドオーバーインストラクションは、ハンドオーバー後のセル間干渉キャンセル処理に使用するため前記メモリモジュールに情報を記憶すべきであるとの指示を少なくとも含む、装置。
【請求項６】
前記コントロールモジュールは、更に、
前記トランシーバモジュールを経てハンドオーバー後のセル間干渉キャンセル処理に使用するための情報を受け取る、
ように構成され、前記受け取られる情報は、少なくともサービングネットワークトランシーバデバイスのコンフィギュレーションに関連したコンフィギュレーション情報である、請求項５に記載の装置。
【請求項７】
ハンドオーバー後のセル間干渉キャンセル処理に使用するための前記情報は、
−セルのセル特有参照信号ＣＲＳ、ポート情報、
−セルのマルチメディアブロードキャスト単一周波数ネットワークＭＢＳＦＮ、コンフィギュレーション情報、及び
−セルの繰り返しプレフィックスＣＰ、
の少なくとも１つを含む、請求項５又は６に記載の装置。
【請求項８】
前記コントロールモジュールは、更に、ハンドオーバー後のセル間干渉キャンセル処理に使用するため情報を前記メモリモジュールに記憶するように構成された、請求項５に記載の装置。
【請求項９】
ハンドオーバー後に使用するためのトランシーバデバイス候補を指示するレポートを受け取り、及び
それに応答して、ハンドオーバーインストラクションを発生し、そのハンドオーバーインストラクションは、ターミナル装置のハンドオーバー後のセル間干渉キャンセル処理に使用するためにターミナル装置のメモリに情報を記憶すべきであるとの指示を少なくとも含むものである、基地局で実施される方法。
【請求項１０】
ハンドオーバー後のセル間干渉キャンセル処理に使用するための情報を送信することを更に含み、受け取られる情報は、少なくともサービングネットワークトランシーバデバイスのコンフィギュレーションに関連したコンフィギュレーション情報である、請求項９に記載の方法。
【請求項１１】
ハンドオーバー後のセル間干渉キャンセル処理に使用するための前記情報は、
−セルのセル特有参照信号ＣＲＳ、ポート情報、
−セルのマルチメディアブロードキャスト単一周波数ネットワークＭＢＳＦＮ、コンフィギュレーション情報、及び
−セルの繰り返しプレフィックスＣＰ、
の少なくとも１つを含む、請求項９又は１０に記載の方法。
【請求項１２】
コントロールモジュール、メモリモジュール及びトランシーバモジュールを備え、前記コントロールモジュールは、
前記トランシーバモジュールを経てハンドオーバー後に使用するためのトランシーバデバイス候補を指示するレポートを受け取り、及び
前記レポートを処理すると、前記トランシーバモジュールを経てハンドオーバーインストラクションを発生し、そのハンドオーバーインストラクションは、ハンドオーバー後のセル間干渉キャンセル処理に使用するためにターミナル装置のメモリモジュールに情報を記憶すべきであるとの指示を少なくとも含むものである、装置。
【請求項１３】
前記コントロールモジュールは、更に、
前記トランシーバモジュールを経てハンドオーバー後のセル間干渉キャンセル処理に使用するための情報を送信する、
ように構成され、送信される情報は、少なくともサービングネットワークトランシーバデバイスのコンフィギュレーションに関連したコンフィギュレーション情報である、請求項１２に記載の装置。
【請求項１４】
ハンドオーバー後のセル間干渉キャンセル処理に使用するための前記情報は、
−セルのセル特有参照信号ＣＲＳ、ポート情報、
−セルのマルチメディアブロードキャスト単一周波数ネットワークＭＢＳＦＮ、コンフィギュレーション情報、及び
−セルの繰り返しプレフィックスＣＰ、
の少なくとも１つを含む、請求項１２又は１３に記載の装置。
【請求項１５】
コンピュータにおいてプログラムが実行されるときに、請求項１から４のいずれかに記載の方法ステップを遂行するように構成されたプログラムを記憶したコンピュータ読取可能記録媒体。
【請求項１６】
コンピュータにおいてプログラムが実行されるときに、請求項９から１１のいずれかに記載の方法ステップを遂行するように構成されたプログラムを記憶したコンピュータ読取可能記録媒体。
【発明の詳細な説明】
【技術分野】
【０００１】
本発明は、干渉キャンセル手順を改善する方法、装置及びコンピュータプログラム製品に関する。より詳細には、本発明は、セル間干渉が生じ得るセルラーネットワーク環境で動作する移動通信システムに適用できるそのような方法、装置及びコンピュータプログラム製品に関する。
【背景技術】
【０００２】
移動データ送信及びデータサービスは絶えず進歩している。そのようなサービスが益々浸透するにつれて、ユーザ装置ＵＥ（又は移動ステーションＭＳ、等；規格が異なると、異なる名前が適用される）のようなターミナル装置は、セルラーネットワーク環境内で通信することができる。例えば、ターミナル装置ＵＥは、サービングネットワークトランシーバステーション（例えば、ベースステーションＢＳ又はＮｏｄｅＢ又は進化型ＮｏｄｅＢ、ｅＮＢ）により一般的に採用された利用可能なシステムコンフィギュレーション及びそれに関連したネットワークアーキテクチャーに基づいてそれが配備されるか又は「キャンピング」するネットワーク環境内で通信を行う。
【０００３】
しかしながら、典型的に、それらのセルラーネットワーク環境は、干渉を生じる傾向があり、又、ネットワークトランシーバ装置（例えば、ベースステーション、ＮｏｄｅＢ、又は進化型ＮｏｄｅＢ、ｅＮＢ）のようなあるネットワークエンティティが別のネットワークトランシーバ装置との送信と干渉する限り、セル間干渉が生じ得る。そのような干渉現象は、ネットワークトランシーバ装置が異なる送信電力を適用し、ひいては、それらが表わすセルのカバレージエリアが異なる場合に、増加し及び／又はより顕著となる。１つの典型的なそして規範的な手順は、例えば、いわゆるマクロセル（マクロｅＮＢに関連し／それにより画成される）を、そのマクロセルのカバレージ内に配備される１つ以上のピコ又はフェムトセル（ピコ／フェムトｅＮＢに関連し／それにより画成される）と一緒に採用するセルラーネットワーク環境である。
【０００４】
以下、そのような手順を参照して、本発明の態様を例示的に述べる。本発明を分かり易くそして理解し易くするために、説明上、ＬＴＥ又はＬＴＥ−Ａ（長期進化、ＬＴＥアドバンスト）の通信システムを参照する。しかしながら、そのような特定のシステムを参照しそして特定のシグナリング名又はチャンネル名、或いはそのような通信ネットワーク又は部分ネットワーク環境を構成するエンティティの名前を使用することは、本発明をそれらの特定例に限定することを意図するものではない。むしろ、本発明の原理は、ＬＴＥ／ＬＴＥ−Ａに比して異なるチャンネル／シグナリング／エンティティ名を採用する他の通信システムに適用することもできる。
【０００５】
又、マクロ／ピコセル環境も一例として使用されるものであり、そして（セル間）干渉が生じるか又は各セル間に生じると予想される限り、例えば、複数のマクロセル／マクロｅＮＢ及び／又はマクロセル内の複数のピコ／フェムトｅＮＢを有する環境のような他の環境も使用できる。
【０００６】
ＵＥのようなターミナルが「移動」しながらそのような環境で通信し、従って、ネットワーク環境及び１つ以上のセルのカバレージ内を移動する場合に、ターミナルは、時間と共に異なるネットワークトランシーバ装置ｅＮＢによるサービスを受ける。サービングネットワークトランシーバ装置を切り換えるために、ターミナルは、最初のサービングネットワークトランシーバ装置（ソース）からターゲットネットワークトランシーバ装置（ハンドオーバー時に、新たなサービングネットワークトランシーバ装置となる）へハンドオーバーされねばならない。
【０００７】
従って、ターミナルＵＥがセルレンジ拡張エリアにおいてマクロセルからピコセルへのハンドオーバーを行うときには、ターミナルＵＥは、セル特有の参照信号（ＣＲＳ）干渉キャンセル（ＩＣ）を行う上でそれ自身の助けとなるように何らかのシグナリングを必要とする。この点に関して、例えば、ネットワークがレンジ拡張（ＲＥ）を使用してセルを配備する状況では優れた全体的性能を可能にするためにＵＥの進歩型受信器において３ＧＰＰ（第三世代パートナーシッププロジェクト）で既に研究が進められている。これまで、それらの研究では、セル特有の参照信号干渉キャンセル（ＣＲＳ  ＩＣ）は、ＵＥによって接続モードで使用されねばならず、且つ理想的モードのＵＥがＣＲＳ  ＩＣを適用する必要があるとは思われないという理解である。改善型ＩＣＩＣ（ｅＩＣＩＣ）が使用されそしてネットワークがピコ／マクロ整合のほぼブランクサブフレーム（ＡＢＳ）ミューティングの概念を使用することによってレンジ拡張（ＲＥ）を適用するようなネットワークでも、ｅＮＢからダウンリンク（ＤＬ）のほぼブランクサブフレーム（ＡＢＳ）には、ある程度の情報が依然送信される。例えば、レガシーＵＥのサポートにより、ＡＢＳ及び他のＤＬ信号、例えば、一次ブロードキャストコントロールチャンネルＰＢＣＨには、ＣＲＳが依然送信される。ＡＢＳにおけるこれらの送信は、干渉を引き起こし、従って、ＣＲＳ  ＩＣの適用によりこの干渉をキャンセルできる進歩型受信器形式を適用することでこの干渉からＵＥ側への影響をどのように制限するかの研究が進められている。
【０００８】
しかしながら、ＣＲＳ  ＩＣを適用するには、ＵＥは、どのＣＲＳを打ち消すか、及び１つ以上の干渉するｅＮＢからの送信に関する他の基本的な情報を知る必要がある。又、最も効率的なシステム解決策を得るために、ネットワークからのサポートは、そのような関連情報の形態でＵＥに与えなければならない。
【０００９】
現在、ｅＩＣＩＣは、ＵＥにより接続モードのみにおいて使用されている。ほとんどのケースでは、ピコＲＥ領域のＵＥは、マクロセルに先ずアイドルモードでキャンプし、次いで、接続設定後に、ｅＮＢは、ＵＥをピコセルへハンドオーバーする。このように、マクロｅＮＢがＵＥ通信の「取り扱い」をピコｅＮＢへ移管すると、マクロから（ピコへ）のオフロード利得に到達する。
【００１０】
関連するネットワークシグナリングは、専用無線リソースコントロール（ＲＲＣ）シグナリングによるか、又はハンドオーバー（ＨＯ）コマンドに情報を含ませる、等の多数の別々の仕方で、行うことができる。
【００１１】
しかしながら、ＨＯコマンドに情報を含ませることに伴う問題は、このコマンドが通常セルの縁で送信されることである。しかしながら、セルの縁（即ち、隣接セルの境界）では、ＵＥ側の受信が不成功になる確率が若干高くなる（例えば、縁ではサービングｅＮＢの信号強度が低く及び／又は潜在的なターゲットｅＮＢからの干渉が増加するために）。それに加えて、（最も）干渉するセルの１つ（又は少なくとも打ち消すべき顕著な干渉点（ＤＩＰ））が、ＨＯを遂行する（サービング）セルになると予想される。
【発明の概要】
【発明が解決しようとする課題】
【００１２】
従って、ＣＲＳ  ＩＣに関するそのような手順においてターミナルの適切な動作を可能にするようにそのようなシステムを更に改善する必要があると共に、対応するターミナル及びネットワークトランシーバ装置のための改善された方法、装置及びコンピュータプログラム製品を提供する必要がある。
【課題を解決するための手段】
【００１３】
本発明の種々の態様は、特許請求の範囲に規定される。
本発明の第１の態様によれば、次のものが提供される。
請求項６に記載の装置；
請求項１５に記載の装置；及び
請求項２１に記載の装置。
【００１４】
本発明の第２の態様によれば、次のものが提供される。
請求項１に記載の方法；
請求項１１に記載の方法；及び
請求項１８に記載の方法。
【００１５】
各装置／方法の更に別の効果的な展開は、各従属請求項に規定される。
【００１６】
本発明の第３の態様によれば、コンピュータにおいてプログラムが実行されるときに、上述した方法の態様を遂行するよう構成されたコンピュータ実行可能なコンポーネントを含むコンピュータプログラム製品が提供される。そのコンピュータプログラム製品（１つ又は複数）は、コンピュータ読み取り可能な記憶媒体として実施される。
【００１７】
従って、性能の改善は、少なくとも規範的な実施形態において、ＵＥが少なくともサービングセルの必要な情報を記憶すべきとの指示、即ちターゲットセル内でＣＲＳ  ＩＣを遂行するに必要な少なくともサービングマクロｅＮＢ（そこからＨＯコマンドが受け取られる）の情報を記憶すべきとの指示、をＨＯコマンドに採用する方法、装置及びコンピュータプログラム製品をベースとする。
【００１８】
従って、少なくとも規範的な実施形態では、実際の情報がＨＯコマンドに含まれるのではなく、ＵＥがＨＯターゲットセルに使用するためのそのような情報（少なくともその一部分）を記憶すべきとの指示だけが含まれる。
【００１９】
ＵＥがターゲットセル、例えば、ピコｅＮＢへのハンドオーバーを実行した後に、付加的な干渉キャンセルが必要となる場合に、ピコｅＮＢは、以前のマクロｅＮＢ情報を除いて、ＣＲＳ干渉を打ち消す必要のあるセルに関するより多くのセル情報をＵＥに与える。
【００２０】
或いは又、ＨＯコマンドは、ＵＥがサービングセルのＣＲＳ  ＩＣ情報より多くの情報をサービングセル即ちマクロｅＮＢに関連したＣＲＳ  ＩＣ情報の１つとして同様に記憶すべきであることをネットワークがＵＥに指示するように設計される。即ち、そのような別の態様では、ＨＯコマンドは、ハンドオーバー後にターゲットセルに使用するためにＵＥに記憶されるべき１つ以上の特定のセル情報（例えば、サービングセル内の先のポイントにおいて受け取られた）をより詳細に指示する。
【発明の効果】
【００２１】
本発明の少なくとも規範的な態様によれば、次の効果の１つ以上を達成することができる。
−ターミナルＵＥの実施が容易であり／複雑でない；
−優れた干渉キャンセル性能が得られる；
−シグナリングされる情報のサイズ即ち量をできるだけ低く保持でき、情報がＨＯ手順において送信されるときに正しく受信される確率を高める；
−ＨＯコマンドにおいてＵＥへシグナリングされる必要のあるＣＲＳ  ＩＣ情報の量がここに提案する手段により減少される；
−効率的なシグナリング；
−低いシグナリングオーバーヘッド；
−ＨＯコマンドサイズの減少；及び
−加えて、いずれの場合も、以前のサービングマクロセルは、顕著な干渉ポイント（ＤＩＰ）であり、且つ多くの場合に、ＵＥでこのＤＩＰ  ＣＲＳ干渉を打ち消すのに充分なものであり、これは、単一のセル干渉を打ち消す必要があるか複数のセル干渉を打ち消す必要があるかに関わらず、どんな状況にあっても、本発明の態様が重要であることを意味する。
【００２２】
本発明の規範的な実施形態を完全に理解するために、添付図面を参照して、以下に詳細に説明する。
【図面の簡単な説明】
【００２３】
【図１Ａ】ターミナルＵＥのブロック回路図である。
【図１Ｂ】マクロｅＮＢ又はピコ／フェムトｅＮＢのブロック回路図である。
【図２】本発明が適用される、セル間干渉が生じ得るセルラーネットワーク環境の一例を示す。
【図３】本発明の一実施形態によりターミナルＵＥと規範的なマクロｅＮＢ及びピコｅＮＢとの間で交換される信号のシグナリングである。
【発明を実施するための形態】
【００２４】
本発明の規範的な態様／実施形態を以下に説明する。
【００２５】
図１Ａは、ターミナルＵＥのブロック回路図であり、そして図１Ｂは、マクロｅＮＢ又はピコ／フェムトｅＮＢのブロック回路図である。
【００２６】
本発明の態様は、少なくとも規範的態様のもとで、ＵＥ１０ａのようなターミナル装置において又はＵＥのデバイス１１ａのようなその一部分において実施されることに注意されたい。ターミナルＵＥの対応するブロック回路図が図１Ａに示されている。そのようなデバイス１１ａは、装置１１０ａのチップ又はチップセット或いは別のサブユニット、等である。デバイス１１ａは、少なくともメモリモジュールＭＥＭ１１１ａを備え、ここにはソフトウェアコード部分及び／又はデータが記憶される。メモリモジュール１１１ａは、プロセッサ又はＣＰＵ又はＡＳＩＣのようなコントロールモジュール１１２ａに接続される。コントロールモジュール１１２ａは、トランシーバモジュール１１３ａに接続される。トランシーバモジュール１１３ａは、ネットワークトランシーバデバイスのようなネットワークエンティティを経て他のターミナルと通信するように構成され、即ちＬＴＥ又はＬＴＥ−Ａのような関連サービスのために構成される。
【００２７】
同様に、本発明の少なくとも別の規範的態様のもとで、ｅＮＢ１０ｂのような装置は、本発明の態様に基づくデバイス１１ｂを備えている。マクロｅＮＢ及び／又はピコ／フェムトｅＮＢの対応するブロック回路図が図１Ｂに示されている。そのようなデバイス１１ｂは、装置１１０ｂのチップ又はチップセット或いは別のサブユニット、等である。デバイス１１ｂは、少なくともメモリモジュールＭＥＭ１１１ｂを備え、ここにはソフトウェアコード部分及び／又はデータが記憶される。メモリモジュール１１１ｂは、プロセッサ又はＣＰＵ又はＡＳＩＣのようなコントロールモジュールｃｔｒｌ  １１２ｂに接続される。コントロールモジュール１１２ｂは、トランシーバモジュール１１３ｂに接続される。トランシーバモジュール１１３ｂは、（任意であるが、更に別のネットワークエンティティを経て）ＵＥと通信するように構成され、即ちＬＴＥ又はＬＴＥ−Ａのような関連サービスのために構成される。
【００２８】
ハードウェア「中心」ではなくソフトウェア「中心」である本発明の実施形態のもとでは、各モジュールは、対応する機能的手段として実施される（本発明の要旨から逸脱せずに）ことに注意されたい。
【００２９】
図２は、本発明の実施形態が適用される、セル間干渉が生じ得るセルラーネットワーク環境の一例を示す。
【００３０】
図２に示すように、マクロｅＮＢは、ソースセルを画成し、それと共に／その中でターミナルＵＥが通信し、即ち通信のための接続状態にある。（外側の太い線で表わされた）マクロセルのカバレージエリア内では、ピコｅＮＢが存在してピコセルを画成する。ピコｅＮＢ（ピコセル）は、ターミナルＵＥがマクロｅＮＢ（マクロセル）からハンドオーバーされるところのターゲットｅＮＢ又はセルを表わす。ピコセルのカバレージエリアは、小さな丸い太線で現される。ピコセルは、図２に示すように、レンジ拡張ＲＥ領域により取り巻かれている。レンジ拡張ＲＥ領域は、例えば、ネットワーク最適化、及び／又はマクロｅＮＢとピコｅＮＢとの間の干渉バランスのためにマクロｅＮＢがハンドオーバーオフセットを調整する場合に「付加的な」カバレージ又は拡張カバレージを表わす。本発明の態様では、フェムトセル／ｅＮＢも適用できることに注意されたい。というのは、フェムトｅＮＢは、カバレージエリアが依然小さい以外は、ピコｅＮＢと同様とみなされるからである。
【００３１】
そのような手順／環境は、ｅＩＣＩＣを検討するとき多くのケースに存在し、即ち使用ケースがマクロセルのカバレージ内のＲＥを使用するピコセルであるとき存在する。そのような手順における顕著な干渉ポイントは、ピコセルが下に配備されるマクロセルである。これは、もちろん、１つの状況に過ぎない。他のものもあるが、この手順を使用して、少なくとも本発明の態様がどのように実現されるか説明する。又、更なるＤＩＰキャンセルの複雑さに比して、即ち４つ以上の顕著な干渉ポイント（ＤＩＰ）の打ちし消しに比して、２から３の最も強いＤＩＰを打ち消すだけで充分であることが示されていることに注意されたい。
【００３２】
別の使用ケース又は実施手順は、小さなセルが配備されてＲＥが使用される同期型ＦＤＤ  Ｅ−ＵＴＲＡＮ（ＦＤＤ：周波数分割デュープレックス、Ｅ−ＵＴＲＡＮ：エンハンストユニバーサル地上無線アクセスネットワーク）ネットワークでターミナルＵＥが動作される手順により表わされる。（ＨＯコマンドが受け取られる）現在サービングセルから必要な情報をＵＥが記憶すべきであることをＨＯコマンドに示す別の例は、少なくともそのような同期型ネットワークに対して、ＣＲＳ  ＩＣ目的のために必要な情報を（サービング）セルからターミナルＵＥが一般的に記憶することを明示する際に存在し、これは、例えば、ターミナルがそのようなネットワークに加入／アクセスするときに実行され／シグナリングされる。別の態様は、例えば、測定コンフィギュレーションＲＲＣＣｏｎｅｃｔｉｏｎＲｅｃｏｎｆｉｇｕｒａｔｉｏｎにおいて他のＲＲＣシグナリングメッセージを使用してＵＥへこれをシグナリングすることである。しかしながら、ここに述べるこれらの全ての例は、非限定例であることに注意されたい。
【００３３】
又、本発明の適用は、ＲＥの使用に関連したピコセル構成及びＩＣＩＣに限定されない。むしろ、これは、本発明の態様を述べる一例に過ぎず、本発明は、セル間干渉キャンセルＩＣＩＣのための他のセル手順／コンフィギュレーションに適用でき、例えば、セル特有の参照信号干渉キャンセルＣＲＳ  ＩＣに適用できるだけでなく、一例として、一次ブロードキャストチャンネルＰＢＣＨキャンセルにも適用できる。干渉キャンセルに関連した他の使用ケースも考えられるので、上述した例も、本発明を限定するものではない。
【００３４】
図２に示す手順／環境を参照して、本発明の態様を以下に説明する。
【００３５】
ＵＥは、それがマクロｅＮＢによってサービスされるとき、ＵＥが別のセル（例えば、ピコセル）によりサービスされるときにそのマクロセルから生じるＣＲＳ  ＩＣを遂行するために、マクロｅＮＢ／セルに関する全ての必要な情報を有する。更に、ＵＥは、それがマクロセルにある間にピコセル（或いは別のマクロ又はピコセル）から生じるＣＲＳ  ＩＣを可能にするため必要な情報で予め構成されてもよい。一般的に、ＣＲＳ  ＩＣは、ここでは、一例として参照されるものに過ぎず、本発明の態様は、例えば、ＰＢＣＨ干渉キャンセルにも適用でき、又はより一般的には、他のセルからの干渉ソースに向けられた干渉キャンセル（セル間干渉キャンセルＩＣＩＣ）にも適用できる。
【００３６】
例えば、セルからのＣＲＳ  ＩＣを遂行するために必要とされる情報は、少なくとも、次のうちの１つ以上である。
−セルＣＲＳポート情報；
−セルマルチメディアブロードキャスト単一周波数ネットワーク（ＭＢＳＦＮ）コンフィギュレーション情報；及び
−セル繰り返しプレフィックスＣＰも有用である。
【００３７】
ＵＥがピコセルを検出しそしてＨＯ候補としてマクロｅＮＢへ報告したときに、ネットワークは、ＵＥがピコセルのＲＥにある間にＵＥをピコｅＮＢへハンドオーバー（ＨＯ）することができる（図２を参照）。この場合に、全体的な性能を改善しそしてＲＥからの利益を最大にするためにＵＥがＲＥにある間にＣＲＳ  ＩＣを行わせるのが有益である。打ち消す必要のある１つの「明らかな」候補セル（最も強い干渉貢献の責任があるために）は、先のサービングマクロセルである。上述したように、ＵＥは、ピコセルへのインバウンドＨＯの前にマクロセルに関する全ての必要な情報を有する。
【００３８】
シグナリングのオーバーヘッドを低下すると共に、整列したＵＥ実施も保証するため、本発明の態様によれば、ｅＮＢは、ＨＯコマンドが受け取られるセルからのＣＲＳ  ＩＣ関連情報（即ち、ＨＯコマンドを発生するセル／ｅＮＢの）をＵＥが記憶すべきであることをＨＯコマンドにおいて指示することができる。指示されると、ＵＥは、ＨＯターゲットセルに「キャンプ」するときにＣＲＳ  ＩＣ処理に使用する情報を記憶する。
【００３９】
技術的仕様（ＴＳ）においてこれを実施する１つの方法は、例えば、簡単な「サービングセルＣＲＳ  ＩＣ記憶」インジケータをＨＯコマンドに設けることである。これは、ターゲットセルに使用するための情報をＵＥが記憶すべきであることをネットワークが特に指示すると共に、整列実施を行うように特定の振舞いをＵＥに指示することを許す。
【００４０】
ピコｅＮＢへのＵＥハンドオーバーが行われた後に、ピコｅＮＢは、どのセルの干渉をそしてどれほど多くのセルのＣＲＳ干渉をＵＥにより打ち消すべきか決定する。従って、これは、ＨＯコマンドサイズを節減するための効率的な方法である。というのは、マクロｅＮＢは、ピコセル（ピコｅＮＢ）の「ニーズ」を厳密に知らないからである。
【００４１】
ＨＯコマンドが受け取られるところのセルからのＣＲＳ  ＩＣ当該情報を記憶することだけをサポートする別の仕方は、ネットワーク（例えば、ｅＮＢ、又は移動管理エンティティＭＭＥのような他のエンティティ）がハンドオーバーの前にＣＲＳ  ＩＣを使用するようにＵＥを構成する又は構成したことにあり、ネットワークは、少なくともサービングセルより多くの（例えば、全部、即ち全ての既知の／構成されたマクロ及び／又はピコセル／ｅＮＢからの）ＣＲＳ  ＩＣ情報をターゲットセルにおけるＣＲＳ  ＩＣにも適用すべきであることを指示する。
【００４２】
又、もちろん、ＨＯ状態においてどの情報を記憶すべきかをより詳細に（例えば、ポート番号に関して現在ＣＲＳ  ＩＣコンフィギュレーションの粒度まで）通知すべき手段をネットワークにもたせることもできる。
【００４３】
上述した特徴は、それがなければ、ＨＯコマンドに必要とされる所要ＣＲＳ  ＩＣ関連情報の量を減少し（ＨＯ直後のターゲットセルにおける高速で且つ効率的なＣＲＳ  ＩＣを可能にするために）、そしてＨＯ直後に新たなピコセルにおけるＵＥへ時間に厳密なＣＲＳ  ＩＣコンフィギュレーションメッセージを送信する必要性を低減させる。
【００４４】
本発明の態様に関連したシグナリング図について以下に説明する。これは、図３を参照して述べる。
【００４５】
図３は、本発明の一実施形態によりターミナルＵＥと規範的なマクロｅＮＢ及びピコｅＮＢとの間で交換されるシグナリングを示す図である。含まれるエンティティは、横方向に示されており、そしてそれらの間で交換されるシグナリング／それらにおいて行われる処理は、縦方向に示されている。ターミナルＵＥは、ピコｅＮＢレンジ拡張ＲＥエリア、即ちピコｅＮＢ「通常」カバレージへの拡張に存在するように示されている。更に、ＵＥは、マクロｅＮＢカバレージにある。
【００４６】
ステップＳ１において、マクロｅＮＢは、マクロｅＮＢコンフィギュレーション情報をＵＥに与え、少なくとも、それらの情報で、ＵＥは時間ドメインＩＣＩＣ処理（例えば、ＣＲＳ  ＩＣのような）を遂行することができる。それらの情報は、隣接セル測定制限のためのマクロｅＮＢ  ＡＢＳパターン、即ちＭＢＳＦＮコンフィギュレーション情報を含む。任意であるが、及び／又はそれとは別に、ステップＳ１ａにおいて、ＵＥは、マクロｅＮＢだけではなく、他のピコｅＮＢにも関連した時間ドメインＩＣＩＣ処理のためのコンフィギュレーション情報、例えば、ＲＲＭ測定のためのピコｅＮＢアンテナ（ポート）番号情報が与えられ／それを学習するように構成される。
【００４７】
ステップＳ２において、ＵＥは、この情報、例えば、ＵＥが時間ドメインＩＣＩＣ処理（例えば、ＣＲＳ  ＩＣ）を遂行できるようにするコンフィギュレーション情報に気付き、この情報は、少なくともマクロｅＮＢがソースとして働くときにそこから発生され、そして任意であるが、他のマクロｅＮＢ及び／又は１つ以上のピコｅＮＢから発生される。
【００４８】
ステップＳ３において、ＵＥは、例えば、検出又は測定された干渉状態に基づき或いは他の処理又は受信情報に基づいてピコｅＮＢをハンドオーバー候補として検出する。
【００４９】
ステップＳ４において、ＵＥは、ＨＯ候補として検出されたピコｅＮＢを、マクロｅＮＢで表わされるネットワークのようなネットワークへレポートする。又、このレポートは、（マクロｅＮＢを経て）移動管理エンティティ（図３には示さず）へも送られ又は転送される。
【００５０】
ステップＳ５において、ネットワーク、即ちサービングマクロｅＮＢ及び／又はＭＭＥ（図示せず）は、候補のピコｅＮＢへのハンドオーバーＨＯを遂行すべきかどうかを、例えば、ハンドオーバー基準に基づいて判断し、そのハンドオーバー基準は、ＨＯ判断がなされる限り、本発明及びその態様の目的にとって特に重要でない。
【００５１】
ステップＳ６において、マクロｅＮＢは、ターゲットピコｅＮＢに向かってＨＯコマンドを発生する。そのようなコマンドは、ＵＥがターゲットセルにおいてＣＲＳ  ＩＣのような時間ドメインＩＣＩＣを遂行できるようにする情報であって、コマンドが受信され及び／又は発信されるところのネットワークトランシーバ装置（即ち、（マクロ）ｅＮＢ）に少なくとも関連している情報を記憶するための指示（又はインストラクション）を少なくとも含む。即ち、ステップＳ６ａに示すように、任意であるが、ＣＲＳ  ＩＣイネーブル情報を記憶するための指示／インストラクションは、ＵＥで利用できる情報の複数のセット、例えば、ステップＳ１ａでＵＥに対して構成された情報に関連している。この点に関して、ＣＲＳ  ＩＣイネーブル情報を記憶するための指示／インストラクションは、少なくとも、サービングマクロｅＮＢ、他の非サービングマクロｅＮＢ、１つ以上のピコｅＮＢ（ＨＯが遂行されるターゲットピコｅＮＢとは異なる）に関連した時間ドメインＩＣＩＣイネーブル情報（例えば、ＣＲＳ  ＩＣ）に関するものである。記憶すべき情報のセットは、これら全てのセットであるか、或いは、例えば、セルアイデンティティ（ＩＤ）又はｅＮＢ  ＩＤ又は物理的セルアイデンティティ（ＰＣＩ）を使用することにより選択された複数の選択されたセットである。
【００５２】
ステップＳ７において、ＵＥは、ハンドオーバー後にＵＥが（ピコｅＮＢの）ターゲットセルにキャンプするときにＩＣＩＣを遂行できるようにする情報（情報のセット、即ち情報の１つ、それ以上又は全部のセット）を記憶する。
【００５３】
ステップＳ８において、ＵＥは、ピコｅＮＢへのＨＯを遂行し、そして任意のステップＳ８ａにおいて、ＵＥは、記憶された情報を使用してＣＲＳ  ＩＣを実行し、ステップＳ９において、例えば、ピコｅＮＢに、経験した（測定された）干渉状態のレポートで通知する。
【００５４】
ステップＳ１０において、ターゲットｅＮＢ（ピコｅＮＢ）は、新たに指定されたサービングｅＮＢであり、そしてＵＥにより遂行されるべきＣＲＳ  ＩＣを、セルの数に関して、及びどの特定の個々のセルについて（例えば、それらのセルＩＤ／ＰＣＩに関して）ＣＲＳ  ＩＣを遂行すべきかに関して、判断する。
【００５５】
ステップＳ１１において、ピコｅＮＢは、セルの数及びそのセルＩＤ／ＰＣＩ、並びにキャンセルを遂行するのに必要な他の関連情報をＵＥに与えることにより、ＵＥに適宜に指令する。
【００５６】
ステップＳ１２において、ＵＥは、（ステップＳ６及び／又はＳ６ａで指令された）そのような使用及び／又は目的のためにＵＥに記憶され及び／又は配布された情報を使用して、指令されたセルに対するＣＲＳ  ＩＣを遂行する。例えば、記憶された情報セットは、セルＩＤ又はＰＣＩに基づいて選択することができ、それらは、セルＩＤ又はＰＣＩに基づくアドレススキームに基づいてＵＥのメモリＭＥＭに記憶されている。しかし、記憶及び検索の詳細は、本発明の主要な問題ではない。
【００５７】
従って、少なくとも規範的な態様の以上の詳細な説明から、それらの態様によれは、本発明は、ハンドオーバー後に使用するためのトランシーバデバイス候補を報告し、そしてハンドオーバーインストラクションを受け取り、そのハンドオーバーインストラクションは、ハンドオーバー後に適用すべき処理に使用するために情報を記憶すべきであるとの指示を少なくとも含むものである方法（並びにそれに対応するよう構成された装置）を包含する。更に、ハンドオーバー後に適用すべき処理に使用するための情報を受け取ることを含み、その受け取られる情報は、少なくともサービングネットワークトランシーバデバイスのコンフィギュレーションに関連したコンフィギュレーション情報である。ハンドオーバー後に適用される処理は、例えば、ＣＲＳ干渉キャンセル処理である。ハンドオーバー後に適用すべき処理に使用するための情報は、セルのセル特有参照信号ＣＲＳ、ポート情報、セルのマルチメディアブロードキャスト単一周波数ネットワークＭＢＳＦＮ、コンフィギュレーション情報、及びセルの繰り返しプレフィックスＣＰ、の少なくとも１つを含む。ターミナルの態様は、更に、ハンドオーバー後に適用すべき処理に使用するため情報を記憶することも含む。
【００５８】
又、コントロールモジュール、メモリモジュール及びトランシーバモジュールを備え、コントロールモジュールは、トランシーバモジュールを経てハンドオーバー後に使用するためのトランシーバデバイス候補を報告し、そしてトランシーバモジュールを経てハンドオーバーインストラクションを受け取るように構成され、そのハンドオーバーインストラクションは、ハンドオーバー後に適用すべき処理に使用するためメモリモジュールに情報を記憶すべきであるとの指示を少なくとも含む。装置の他の態様は、ターミナルの態様に関する関連する方法の態様と同様である。
【００５９】
又、少なくとも規範的な態様の以上の詳細な説明から、それらの態様によれば、本発明は、ネットワークトランシーバデバイス及び方法に関連して、ターミナルに関する態様に比して同様の且つ対応的な「鏡像」特徴を包含する。
【００６０】
特に、関連ネットワークトランシーバデバイスの一例として働くいわゆるピコｅＮＢに関して、本発明は、そのような態様のもとで、ターミナルから経験される干渉状態についてのレポートを受け取り（従って、前記一例として選択されたハンドオーバーに限定されず、そのような態様は、（ハンドオーバーに直面していない）他のＵＥにも適用でき）、そしてそのレポートに含まれた情報に基づいてターミナルにより遂行される干渉キャンセルを判断することを含む方法を包含する。そのような判断は、任意に又は代替的に、ピコｅＮＢ収集の干渉情報に基づいて行われる。ピコｅＮＢは、どのセルがＣＲＳ  ＩＣを実行するかを、例えば、そのローカル情報、即ち他のセルとの干渉状態に基づいて判断できることに注意されたい。これは、ＵＥのレポートに依存する。この方法は、更に、遂行すべき干渉キャンセル処理に関してターミナルに命令することを含み、遂行すべき干渉キャンセル処理に関してターミナルに命令することは、更に、干渉キャンセルを遂行すべきセルの数、セルのセル特有参照信号ＣＲＳ、ポート情報、セルのマルチメディアブロードキャスト単一周波数ネットワークＭＢＳＦＮ、コンフィギュレーション情報、及びセルの繰り返しプレフィックスＣＰ、の少なくとも１つを含む。
【００６１】
同様に、そのようなピコｅＮＢは、装置の態様のもとで、コントロールモジュール、メモリモジュール及びトランシーバモジュールを備えたデバイスにより表わされ、コントロールモジュールは、対応する方法の態様に基づき上述した処理を遂行するように構成される。
【００６２】
他のシステムも、例えば、ターミナルがハンドオーバーされるセルに使用するためにターミナルの（既に利用できる）どの情報を保存又は「受け継ぐ」べきかの指示を含むハンドオーバーコマンドに関して、それらが同一又は同様の特性を有する限り、ここに提示される原理から利益が得られる。
【００６３】
本発明の実施形態は、ソフトウェア、ハードウェア、アプリケーションロジック或いはそれらソフトウェア、ハードウェア及びアプリケーションロジックの組み合わせで実施される。ソフトウェア、アプリケーションロジック及び／又はハードウェアは、一般的に、メモリモジュールに存在する。メモリモジュールは、ＲＡＭ、ＲＯＭ、ＥＰＲＯＭ、ＥＥＰＲＯＭ、又はハードディスク、等の揮発性又は不揮発性メモリモジュールである。規範的な実施形態において、アプリケーションロジック、ソフトウェア又はインストラクションセットは、種々の従来のコンピュータ読み取り可能な媒体のいずれかに維持される。本書の文脈において、「コンピュータ読み取り可能な媒体」とは、コンピュータ又はスマートホン、又はユーザ装置、或いはネットワークデバイス、例えば、進化型ＮｏｄｅＢ即ちｅＮＢ（マクロｅＮＢであるかピコｅＮＢであるかに関わらず）のようなインストラクション実行システム、装置又はデバイスにより使用するために又はそれらに関連して使用するためにインストラクションを収容し、記憶し、通信し、伝播し又は搬送することのできる媒体又は手段である。
【００６４】
本発明は、これに限定されないが、特に、移動通信、例えば、ＬＴＥ、ＬＴＥ−Ａ及びその後に公表されるもののもとでの環境に関連し、そしてそのようなネットワークに接続できるユーザ装置又はスマートホン或いはパーソナルコンピュータにおいて効果的に実施することができる。例えば、少なくとも１つのマクロｅＮＢ及び１つ以上のピコｅＮＢ（レンジ拡張ＲＥも任意に伴う）を適用するいわゆるＣＲＳ  ＩＣ可能な手順に関与するターミナル又は装置に対して特に有用性が示される。
【００６５】
即ち、それは、接続される装置及び／又はそのモデムに対するチップセットとして／チップセットにおいて実施される。より一般的には、同様の環境を受ける全ての製品は、本発明が実施されることで性能の改善を見る。
【００６６】
要望があれば、ここに述べる異なる機能は、互いに異なる順序で及び／又は同時に遂行されてもよい。更に、要望があれば、上述した機能の１つ以上は、任意であってもよいし又は結合されてもよい。
【００６７】
本発明の種々の態様が独立請求項に規定されるが、本発明の他の態様は、請求項に明確に規定された組み合わせだけではなく、ここに述べる実施形態及び／又は従属請求項からの特徴と、独立請求項の特徴との他の組み合わせも包含する。
【００６８】
本発明の規範的な実施形態を上述したが、それらの説明は、本発明を限定するものではないことに注意されたい。むしろ、特許請求の範囲に規定する本発明の範囲から逸脱せずに、多数の変更や修正がなされ得る。
【００６９】
本発明は、ターミナル装置の態様のもとで、コントロールモジュール、メモリモジュール及びトランシーバモジュールを備えた装置であって、コントロールモジュールは、トランシーバモジュールを経てハンドオーバー後に使用するためのトランシーバデバイス候補を報告し、及びトランシーバモジュールを経てハンドオーバーインストラクションを受け取る、ように構成され、ハンドオーバーインストラクションは、ハンドオーバー後に適用すべき処理に使用するためメモリモジュールに情報を記憶すべきであるとの指示を少なくとも含むものである、装置を提案する。又、ネットワークトランシーバデバイスの態様の下では、コントロールモジュール、メモリモジュール及びトランシーバモジュールを備えた装置であって、コントロールモジュールは、トランシーバモジュールを経てハンドオーバー後に使用するためのトランシーバデバイス候補を表わすレポートを受け取り、そしてそのレポートを処理する際に、トランシーバモジュールを経てハンドオーバーインストラクションを発生し、そのハンドオーバーインストラクションは、ハンドオーバー後に適用すべき処理に使用するためターミナル装置のメモリモジュールに情報を記憶すべきであるとの指示を少なくとも含むものである、装置が提案される。同様に、本発明は、それに対応する方法、及び各々のコンピュータプログラム製品を包含する。更に、ハンドオーバーが遂行される装置に関連したネットワークトランシーバデバイスも包含される。
【００７０】
使用する規範的な略語及び頭字語のリスト：
ＵＥ        ユーザ装置
ＭＳ        移動ステーション
ＢＳ        ベースステーション
ｅＮＢ      進化型ＮｏｄｅＢ／エンハンストＮｏｄｅＢ
ＬＴＥ      長期進化
ＬＴＥ−Ａ  ＬＴＥアドバンスト
ＨＯ        ハンドオーバー
ＤＩＰ      顕著な干渉ポイント
ＣＲＳ      セル特有の参照信号
ＣＰ        繰り返しプレフィックス
ＩＣ        干渉キャンセル
ＰＢＣＨ    一次ブロードキャストチャンネル
ＲＥ        レンジ拡張
ＤＬ        ダウンリンク
ＵＬ        アップリンク
ＡＢＳ      ほぼブランクサブフレーム
ＩＣＩＣ    セル間干渉キャンセル
ｅＩＣＩＣ  エンハンストＩＣＩＣ（時間ドメインＩＣＩＣ）
ＦｅＩＣＩＣ  更なるｅＩＣＩＣ
３ＧＰＰ      第三世代パートナーシッププロジェクト
ＲＲＣ        無線リソースコントロール
ＭＢＳＦＮ    マルチメディアブロードキャスト単一周波数ネットワーク
ＭＭＥ        移動管理エンティティ
【符号の説明】
【００７１】
１０ａ：ターミナル装置（ＵＥ）
１０ｂ：装置（ｅＮＢ）
１１ａ：デバイス
１１ｂ：デバイス
１１１ａ、ｂ：メモリモジュール（ＭＥＭ）
１１２ａ、ｂ：コントロールモジュール（ｃｔｒｌ）
１１３ａ、ｂ：トランシーバモジュール
【図１Ａ】
0006026635.tif 000002
【図１Ｂ】
0006026635.tif 000003
【図２】
0006026635.tif 000004
【図３】
0006026635.tif 000005